(57)【要約】【課題】端末数を増加させることなく、ネットワークメディア端末のコンテンツ表示画面を監視することができるコンテンツ表示監視システムを得る。【解決手段】センター側監視端末１からネットワークを介して配信されたコンテンツをスケジュールにしたがって表示するネットワークメディア端末２ａ〜２ｄにそれぞれ接続されたディスプレイモニタ３ａ〜３ｄに表示された映像をそれぞれ、ネットワークメディア端末２ａ〜２ｄに接続されたＵＳＢカメラ４ａ〜４ｄにより撮像し、この撮像された映像情報を、ネットワークメディア端末２ａ〜２ｄからセンター側監視端末１に送信し、センター側監視端末１の画面に表示して、監視を行うようにした。【選択図】図１
2014229959.tif 000002
【特許請求の範囲】
【請求項１】
ネットワークを介して、コンテンツの配信を行うセンター側端末、
このセンター側端末から配信されたコンテンツをスケジュールにしたがって表示するネットワークメディア端末、
及びこのネットワークメディア端末により表示される映像を撮像するＵＳＢカメラを備え、
上記ＵＳＢカメラによって撮像された映像情報は、上記ネットワークメディア端末により上記ネットワークを介して上記センター側端末に送信され、表示されることを特徴とするコンテンツ表示監視システム。
【請求項２】
上記センター側端末は、上記ネットワークの負荷を算出するネットワーク負荷算出部を有し、
上記ネットワークメディア端末から上記センター側端末への上記映像情報の送信を、上記ネットワーク負荷算出部により算出されたネットワーク負荷に応じて制御することを特徴とする請求項１記載のコンテンツ表示監視システム。
【請求項３】
上記ネットワークメディア端末は、ＣＰＵ負荷を算出するＣＰＵ負荷算出部を有し、
上記ネットワークメディア端末から上記センター側端末への上記映像情報の送信を、上記ＣＰＵ負荷算出部により算出されたＣＰＵ負荷に応じて制御することを特徴とする請求項１記載のコンテンツ表示監視システム。
【請求項４】
上記センター側端末は、上記ネットワークメディア端末により送信された映像情報を解析する映像情報解析部を有することを特徴とする請求項１〜請求項３のいずれか一項記載のコンテンツ表示監視システム。
【請求項５】
上記センター側端末は、上記映像情報解析部による解析で異常が検出された場合に、指定された宛先へメールにより通知するメール通知部を有することを特徴とする請求項４記載のコンテンツ表示監視システム。
【発明の詳細な説明】
【技術分野】
【０００１】
この発明は、センター側サーバーより複数のネットワークメディア端末に対してスケジュールコンテンツを配信し、ネットワークメディア端末にてスケジュールに合わせたコンテンツ表示を行う場合に、表示内容を監視するコンテンツ表示監視システムに関するものである。
【背景技術】
【０００２】
広告用途等に使用される映像配信システムでは、ネットワークメディア端末にて、指定したスケジュール通りにコンテンツが表示されていることを監視する機能が要求される。その監視方法としては、例えば各ネットワークメディア端末に表示されるディスプレイ画面を別の監視カメラを具備する撮影端末で画像撮影し、撮影した監視画像をネットワークによりセンター側に送信して、センター側で監視する方法がある。
しかしながら、この場合、各ネットワークメディア端末ごとに監視カメラを具備する撮影端末が必要となる。
特許文献１には、複数のカメラ装置の画像をクライアント端末の１画面に表示し、これを用いてカメラ装置の動作を制御するものが記載されているが、この場合もカメラ装置は撮影対象とは別に設けられている。
また、監視方法として、ネットワークメディア端末自身の画面キャプチャ機能で表示されているコンテンツの画像を瞬間的に取得して、センター側に送信し、センター側で表示状態を確認する方法も考えられている。
【先行技術文献】
【特許文献】
【０００３】
【特許文献１】特開２００９−１００２０８号公報（第３〜６頁、第１図）
【発明の概要】
【発明が解決しようとする課題】
【０００４】
従来の別の監視カメラを具備する撮影端末による画像撮影方法では、監視が必要となるネットワークメディア端末数分の撮影端末が必要となるため、コストが増加し、またシステムを構築する場合、設置する端末数も増加するという問題がある。
また、ネットワークメディア端末自身の画面キャプチャ機能でコンテンツ画像を取得する方法では、瞬間の表示状態を確認することは可能であるが、一連の継続的な監視ができずに、十分な監視機能を果たすことが困難という問題がある。
【０００５】
この発明は、上記のような課題を解決するためになされたものであり、端末数を増加させることなく、ネットワークメディア端末のコンテンツ表示画面を監視することができるコンテンツ表示監視システムを得ることを目的とする。
【課題を解決するための手段】
【０００６】
この発明に係わるコンテンツ表示監視システムにおいては、ネットワークを介して、コンテンツの配信を行うセンター側端末、このセンター側端末から配信されたコンテンツをスケジュールにしたがって表示するネットワークメディア端末、及びこのネットワークメディア端末により表示される映像を撮像するＵＳＢカメラを備え、ＵＳＢカメラによって撮像された映像情報は、ネットワークメディア端末によりネットワークを介してセンター側端末に送信され、表示されるものである。
【発明の効果】
【０００７】
この発明によれば、ネットワークを介して、コンテンツの配信を行うセンター側端末、このセンター側端末から配信されたコンテンツをスケジュールにしたがって表示するネットワークメディア端末、及びこのネットワークメディア端末により表示される映像を撮像するＵＳＢカメラを備え、ＵＳＢカメラによって撮像された映像情報は、ネットワークメディア端末によりネットワークを介してセンター側端末に送信され、表示されるので、大幅なコストを発生せずにネットワークメディア端末のコンテンツ表示映像を監視することができる。
【図面の簡単な説明】
【０００８】
【図１】この発明の実施の形態１によるコンテンツ表示監視システムを示す構成図である。
【図２】この発明の実施の形態１によるコンテンツ表示監視システムのセンター側監視端末の監視画面例を示す図である。
【図３】この発明の実施の形態２によるコンテンツ表示監視システムの監視映像を取得する制御方法を示す図である。
【図４】この発明の実施の形態３によるコンテンツ表示監視システムの監視映像を取得する制御方法を示す図である。
【図５】この発明の実施の形態４によるコンテンツ表示監視システムのセンター側監視端末の映像情報解析部を示す図である。
【図６】この発明の実施の形態５によるコンテンツ表示監視システムのセンター側監視端末のメール送信機能部を示す図である。
【発明を実施するための形態】
【０００９】
実施の形態１．
図１は、この発明の実施の形態１によるコンテンツ表示監視システムを示す構成図である。
図１において、各ネットワークメディア端末２ａ〜２ｄは、ディスプレイモニタ３ａ〜３ｄなどの表示デバイスと接続されており、ディスプレイモニタ３ａ〜３ｄの表示画像を撮像するＵＳＢカメラ４ａ〜４ｄが、ＵＳＢインタフェースによりネットワークメディア端末２ａ〜２ｄに接続されている。
ここで、表示画像の取得手段としては、ビデオカメラ等も考えられるが、よりコンパクト・低価格で近年普及してきているＵＳＢカメラを用いることで、コストをかけずに容易にネットワークメディア端末２ａ〜２ｄとの接続が可能である。
センター側監視端末１（センター側監視端末）は、各ネットワークメディア端末２ａ〜２ｄとＬＡＮケーブル接続等のネットワークにより接続され、各ネットワークメディア端末２ａ〜２ｄから送信されるＵＳＢカメラ４ａ〜４ｄによる映像情報を、監視画面に表示して監視する。
【００１０】
図２は、この発明の実施の形態１によるコンテンツ表示監視システムのセンター側監視端末の監視画面例を示す図である。
図２において、センター側監視端末１に表示される監視画面例を示し、図２（ａ）は一括表示画面監視の４分割表示例、図２（ｂ）は一括表示画面監視の９分割表示例である。図２（ａ）では４台のネットワークメディア端末の監視画面が一括で表示でき、図２（ｂ）では９台のネットワークメディア端末の監視画面が一括で表示できる。図２（ｃ）は端末番号順スケジュール監視で、ネットワークメディア端末の監視画面が１画面ずつ順次表示される。
【００１１】
次に、動作について説明する。
センター側監視端末１は、センター側サーバーとしての役割も果たしており、一般的には各ネットワークメディア端末２ａ〜２ｄにＩＰアドレスを割り当てることにより指定した端末で、スケジュールどおりに表示させるスケジュールコンテンツを配信する。各ネットワークメディア端末２ａ〜２ｄ側では、配信されたコンテンツを表示スケジュールに従って表示を行う。
このような映像配信・表示処理を実施する一方で、各ネットワークメディア端末２ａ〜２ｄは、ＵＳＢカメラ４ａ〜４ｄで取得した映像情報を、各ネットワークメディア端末内のバッファに保存すると共に、ＬＡＮなどのネットワーク経由でセンター側監視端末１に送信する。
【００１２】
センター側監視端末１では、各ネットワークメディア端末２ａ〜２ｄより送信された映像情報を図２に示すような監視画面に表示し、オペレータがそれを確認することで、表示状態を監視する。
表示状態の監視方法としては、図２にあるように一括表示画面での監視やネットワークメディア端末番号順によるスケジュール監視で運営中の表示状態を監視することが可能となる。
【００１３】
実施の形態１によれば、各ネットワークメディア端末がＵＳＢカメラで取得した映像情報をセンター側監視端末に送信し、センター側監視端末で監視画面に表示することにより、各ネットワークメディア端末のコンテンツの表示状態を監視することができ、表示異常発生時にいち早く気づくことが可能となる。
また、同一番組のスケジュール表示をしているネットワークメディア端末に関しては表示タイミングに時間差が生じていないかを確認することが可能となる。
また、ＵＳＢカメラを用いることで、撮影端末を設置するなどの大幅なコストを発生せずにコンテンツ表示を監視することができる。
【００１４】
実施の形態２．
図３は、この発明の実施の形態２によるコンテンツ表示監視システムの監視映像を取得する制御方法を示す図である。
図３において、１、２ａ〜２ｄは図１におけるものと同一のものである。図３では、ネットワーク負荷を算出するネットワーク負荷算出部１１と、ネットワーク負荷による監視映像取得方法を選定する監視方法制御部１２とをセンター側監視端末１に設けている。
【００１５】
実施の形態１では、ＵＳＢカメラ４で取得した映像情報をバッファ保存すると共に常時ネットワーク経由でセンター側監視端末１に送信していたが、実施の形態２は、映像情報を送信する場合の制御方法に係わり、ネットワーク負荷による制御方法についてのものである。
【００１６】
図３に示すような、センター側監視端末１のネットワーク負荷算出部１１により、ネットワークの負荷状態を算出して、監視方法制御部１２によりネットワーク負荷による監視映像取得方法を選定する。
例えば、ネットワーク負荷が０〜３０パーセントの場合には、全ネットワークメディア端末２ａ〜２ｄからリアルタイムの映像情報を送信し、ネットワーク負荷が５０〜８０パーセントの場合には常時センター側監視端末１に映像情報を送るのではなく、各ネットワークメディア端末２ａ〜２ｄから順次切り換えて送信する動作を行う。
さらに、ネットワーク高負荷が続き、ネットワーク負荷が８０パーセント以上の場合には、センター側監視端末１への映像情報送信をストップし、センター側監視端末１からの要求時にのみ、指定されたネットワークメディア端末から映像情報を送信する動作を行うものとする。
【００１７】
実施の形態２によれば、この制御方法によりコンテンツ配信中などのネットワーク負荷が高い状況では、それに応じた映像情報送信の制御方法を適用することで、他機能への影響を回避することができる。
【００１８】
実施の形態３．
図４は、この発明の実施の形態３によるコンテンツ表示監視システムの監視映像を取得する制御方法を示す図である。
図４において、１、２ａ〜２ｄは図１におけるものと同一のものである。各ネットワークメディア端末２ａ〜２ｄはＣＰＵ負荷を算出するＣＰＵ負荷算出部２１を有している。
【００１９】
実施の形態２では、ネットワークの負荷状態によりセンター側監視端末１への映像情報送信を制御したが、実施の形態３は、ネットワークメディア端末２ａ〜２ｄのＣＰＵ負荷に応じて、映像情報をセンター側監視端末１に送るように制御する。
【００２０】
ネットワークメディア端末２ａ〜２ｄのＣＰＵスペックが乏しいケースでは、コンテンツ表示時のＣＰＵ負荷が高い場面には、センター側監視端末１に映像情報を送信するとＣＰＵ負荷向上によりコンテンツ表示に影響が出る場合が懸念される。
そのため、実施の形態３は、図４に示すような、ネットワークメディア端末２ａ〜２ｄのＣＰＵ負荷算出部２１により、ＣＰＵの負荷状態を算出して、ＣＰＵ負荷が高い時には常時センター側監視端末１に映像情報を送ることを停止する制御を行うようにする。
すなわち、動画再生時などＣＰＵ負荷が高い状態では、センター側監視端末１に監視映像情報を送信せず、静止画再生時などＣＰＵ負荷が低い状態には、センター側監視端末１に監視映像情報を送信する。
【００２１】
実施の形態３によれば、ネットワークメディア端末のＣＰＵ負荷状態により、センター側監視端末への監視映像情報の送信を制御するので、ネットワークメディア端末は、コンテンツ表示への影響を回避することができる。
【００２２】
実施の形態４．
図５は、この発明の実施の形態４によるコンテンツ表示監視システムのセンター側監視端末の映像情報解析部を示す図である。
図５において、センター側監視端末１は、ネットワークメディア端末から送信された映像情報を解析し、ディスプレイモニタの表示異常を判定する映像情報解析部１３を有する。
【００２３】
実施の形態４では、センター側監視端末１に設けられた映像情報解析部１３により、各ネットワークメディア端末からの映像情報の画像解析を実施し、ディスプレイモニタの表示異常を判定する。
例えば、図５の例１のように、黒表示データが継続して取得される場合には、ディスプレイモニタ異常と判断するアルゴリズムを持ち合わせる。
また、図５の例２のように、画像データが一定期間更新されない場合には、ネットワークメディア端末異常と判断するアルゴリズムを保有する。
【００２４】
実施の形態４によれば、これにより、ディスプレイモニタとネットワークメディア端末間のインタフェースに左右されることなく、ディスプレイモニタの表示異常検出が可能となる。
【００２５】
実施の形態５．
図６は、この発明の実施の形態５によるコンテンツ表示監視システムのセンター側監視端末のメール送信機能部を示す図である。
図６において、センター側監視端末１は、別端末５へのメール送信を行うメール送信機能部１４（メール通知部）を有する。
【００２６】
実施の形態５は、センター側監視端末１にメール送信機能部１４を設け、このメール送信機能部１４により、センター側監視端末１の映像情報解析部１３において表示異常と判断された場合、あらかじめ指定していた別端末５に対し、その異常時の映像情報データを添付して通知する。
【００２７】
実施の形態５によれば、ディスプレイモニタの表示異常が発生した場合に、現地とは異なる場所にいる管理者に対しても迅速なアラーム通知が可能となる。
【００２８】
なお、本発明は、その発明の範囲内において、各実施の形態を自由に組み合わせたり、各実施の形態を適宜、変形、省略することが可能である。
【符号の説明】
【００２９】
１  センター側監視端末、２  ネットワークメディア端末、３  ディスプレイモニタ、４  ＵＳＢカメラ、５  別端末、１１  ネットワーク負荷算出部、１２  監視方法制御部、１３  映像情報解析部、１４  メール送信機能部、２１  ＣＰＵ負荷算出部。
【図１】
2014229959.tif 000003
【図３】
2014229959.tif 000004
【図４】
2014229959.tif 000005
【図６】
2014229959.tif 000006
【図２】
2014229959.tif 000007
【図５】
2014229959.tif 000008